【事件の表示】
　特願２００４−３１７５１１「データ検索装置およびデータ検索システム」拒絶査定不服審判事件〔平成１８年　５月１８日出願公開、特開２００６−１２７６９４〕について、次のとおり審決する。
【結　論】
　本件審判の請求は、成り立たない。
【理　由】
１．手続の経緯
　本願は、平成１６年１１月１日の出願であって、平成１８年１１月２日付けの拒絶理由通知に対して、平成１８年１２月２８日付けで手続補正がされたが、平成１９年１月２６日付けで拒絶査定となり、平成１９年３月２日付けで拒絶査定不服審判が請求され、同年３月２８日付けで手続補正された。
　平成２１年７月２３日付けで審尋がなされ、同年９月１６日に回答書が提出された。
　平成２１年１１月３０日付けの当審から拒絶理由通知に対して、平成２２年１月１９日付けで手続補正がされたものである。
　
２．本願発明
本願請求項１−１０のうち請求項１に係る発明は、平成２２年１月１９日付けで手続補正された特許請求の範囲の請求項１に記載された次のとおりのものと認める。（以下、「本願発明」という。）
「【請求項１】
　コンテンツデータの内容を表現する主観的データとして当該コンテンツデータを再生するときに受ける印象または受けたい印象を示す印象表現語、および当該コンテンツデータを再生するときの情景や状態を示す情景表現語が当該コンテンツデータと関連付けて格納されたデータベースと、
　外部の再生装置から送信され、検索語として受け付けられた印象表現語および情景表現語からなる主観的データに基づいて上記データベースを検索し、対応するコンテンツデータを指定するデータを当該再生装置に送信する検索手段と、
　上記検索手段により送信されたデータを外部の再生装置が受信した結果、上記コンテンツデータに対する主観的データを追加あるいは変更する必要がある場合に、上記コンテンツデータに対する主観的データを追加あるいは変更するために当該再生装置から送信され、受け付けた主観的データを入力するための入力手段と、
　この入力手段により入力した主観的データを統計処理する処理手段と、
　この処理手段により処理された主観的データにより上記データベースを更新する更新手段とを有し、
　上記検索手段は、外部の再生装置から送信され、検索語として受け付けられた印象表現語および情景表現語からなる主観的データに基づいて上記更新手段によって更新されたデータベースを検索し、対応するコンテンツデータを指定するデータを当該再生装置に送信する、データ検索装置。」
　
３．引用例発明
１）引用例１
これに対して、当審の拒絶の理由に引用された、本願出願日前である平成１４年６月２６日に頒布された「特開２００２−１８２６６０号公報」（以下、「引用例１」という。）には、図面とともに次の事項が記載されている。
　
（１）「【００２１】
　　音楽情報供給システム１は、図１に示すように、音楽情報供給装置２を有しており、音楽情報供給装置２は、インターネットなどのネットワーク３を介して、放送局などに配置された多数の選曲端末装置５に接続されている。音楽情報供給装置２は、主制御部６を有しており、主制御部６にはバス線７を介して楽曲情報メモリ９、ユーザ情報編集部１０、情報更新部１１、情報検索部１２及び通信制御部１３が接続されている。
　　　【００２２】
　　また、選曲端末装置５は、ネットワーク３に接続された通信制御部１５、ミュージックバンク１６及び選曲端末１７が相互に接続された形で設けられている。」
　
（２）「【００２４】
　　楽曲情報ＭＩＦは、図２に示すように、各楽曲について、客観的データとしての一般情報ＮＩＦと、主観的データとしての特殊情報ＤＩＦが格納されており、一般情報ＮＩＦとしては、レコード番号ＤＡ１、棚番号ＤＡ２、発売元コードＤＡ４、年号ＤＡ４、アルバムタイトルＤＡ５、発売日ＤＡ６、演奏時間ＤＡ７、曲名ＤＡ８、アーティスト名ＤＡ９などの楽曲固有の客観的なデータが格納されており、特殊情報ＤＩＦとしては、当該楽曲にふさわしい季節が何時で有るかを示す季節情報ＤＦ１、楽曲にふさわしい時間が何時で有るかを示す時間情報ＤＦ２、楽曲にあった場所や状況がどのようなものかを示すシチュエーション情報ＤＦ３、楽曲にあったイメージを示すイメージ情報ＤＦ４、当該楽曲がヒットした時期等を示す、年代情報ＤＦ５、当該楽曲がよく使用される地域を示す地域情報ＤＦ６、当該楽曲に関連する情報を示す関連情報ＦＤ７、当該楽曲が支持される世代や性別を示す世代性別情報ＤＦ８などが格納されている。」
　
（３）「【００２６】
　　こうして、楽曲情報メモリ９内には、定期的に更新された多数の楽曲に関する楽曲情報ＭＩＦが格納されているので、放送局などが番組の作成に当たって、番組のコンセプト（例えば、２０歳代の働く女性をターゲットとして夏のバカンスをイメージさせる番組）に適合した楽曲選択する作業を行う際には、番組の作成者は、放送局内に設置された選曲端末装置５を操作して、番組で使用したい曲の選曲キー情報ＩＧＦを選曲端末１７を介し入力する。これらは、音楽情報供給装置２の楽曲情報メモリ９内に格納された楽曲情報ＭＩＦの特殊情報ＤＩＦの各項目について、作成者が作成すべき番組のコンセプトに適した情報を、楽曲を検索選曲する上での選曲キー情報ＩＧＦとして入力することにより行う。
　　　【００２７】
　　選曲キー情報ＩＧＦの入力は、例えば、季節情報ＤＴ１として「夏」で、時間情報ＤＴ２として、「昼」、シチュエーション情報ＤＦ３として、「海岸」、イメージ情報ＤＦ４として「明るい、陽気」、世代性別情報ＤＴ８として、「２０代、女性」などと入力することにより行われる。
　　　【００２８】
　　こうして、作成者が入力した選曲キー情報ＩＧＦは選曲要求ＳＣと共に、通信制御部１５からネットワーク３を介して音楽情報供給装置２の通信制御部１３に送られ、主制御部６は、通信制御部１３で受信した、特定の選曲端末装置５からの選曲要求ＳＣ及びそれに付随した選曲キー情報ＩＧＦを、情報検索部１２に転送し、情報検索部１２に、楽曲情報メモリ９内の楽曲情報ＭＩＦを検索して、選曲要求がなされた選曲キー情報ＩＧＦに対応した楽曲を検索するように指令する。
　　　【００２９】
　　情報検索部１２は、選曲キー情報ＩＧＦと楽曲情報メモリ９内に格納された各楽曲に関する楽曲情報ＭＩＦの特殊情報ＤＩＦを検索し、選曲キー情報ＩＧＦに対応した特殊情報ＤＩＦが格納された１曲以上の楽曲に関する楽曲情報ＭＩＦを抽出し通信制御部１３を介して、選曲要求ＳＣを送出した選曲端末装置５に送出する。
　　　【００３０】
　　選曲端末装置５側の番組の作成者はこれを受けて、音楽情報供給装置２から送信された選曲キー情報ＩＧＦに合致する複数の楽曲情報ＭＩＦの一般情報ＮＩＦ及び特殊情報ＤＩＦを、選曲端末１７の図示しないディスプレイなどの表示手段を介して参照し、番組にあった楽曲を絞り込み、最終的に番組で使用する楽曲を決定する。
　　　【００３１】
　　番組の作成者により決定された楽曲は、当該楽曲の一般情報ＮＩＦに基づいて、ミュージックバンク１６に格納された多数の楽曲から対応する楽曲を選択し、番組を作成する。ミュージックバンク１６には、当該放送局で使用する可能性のある多数の楽曲が先述の一般情報ＮＩＦと共にデジタルメロディ情報として格納されているので、番組で使用する楽曲が決定されれば、一般情報ＮＩＦから対応するメロディ情報はミュージックバンク１６から容易に抽出することができる。」
　
（４）「【００３２】
　　ところで、音楽情報供給装置２から、選曲要求ＳＣが出された選曲端末装置５に送出された、楽曲情報ＭＩＦのうち、音楽情報供給装置２では選曲キー情報ＩＧＦに合致したものと判断したにも係わらず、番組の作成者側で、音楽情報供給装置２対して送出した選曲キー情報ＩＧＦに対応していないと判断した楽曲（以下、「不適切楽曲」と称する）が有った場合には、次の選曲キー情報ＩＧＦの検索に際して同様な不適切楽曲が選択されることを防止するために、音楽情報供給装置２に対して、ユーザ付加情報の登録を請求する。
　　　【００３３】
　　即ち、番組の作成者は選曲端末１７を操作し、ユーザ付加情報登録指令ＵＲＣを音楽情報供給装置２に対して出力し、対応する楽曲情報ＭＩＦに対してユーザ付加情報ＵＡＩの登録を要求すると共に、登録内容を、音楽情報供給装置２に対してネットワーク３を介して送信する。ユーザ付加情報ＵＡＩの登録エリアは、図２に示すように、音楽情報供給装置２の楽曲情報メモリ９に格納された各楽曲情報ＭＩＦの特殊情報ＤＩＦに関して、各選曲端末装置５毎に設定されており、番組の作成者は、対応する楽曲情報ＭＩＦに予めデフォルト値として設定されている特殊情報ＤＩＦを参照し、自分のイメージと異なる情報ＤＦ１〜ＤＦ８を選曲端末１７上で修正する形で書き込み登録する。すると、対応するユーザ付加情報ＵＡＩが音楽情報供給装置２にネットワーク３を介して送出され、音楽情報
供給装置２のユーザ情報編集部１０は、ユーザ付加情報ＵＡＩの登録要求のあった楽曲情報ＭＩＦの対応する格納エリアに、各情報ＤＦ１〜ＤＦ８項目と対応させる形で格納する。」
　
（５）「【００３５】
　　なお、ユーザ付加情報ＵＡＩの登録に際しては、端末装置５は音楽情報供給装置２に対して、次の選曲キー情報ＩＧＦに基づく選曲に際して、特殊情報ＤＩＦのデフォルト値ではなく、自分が登録したユーザ付加情報ＵＡＩに基づいて検索するように指令しておくことが出来、この場合、対応する楽曲情報ＭＩＦのユーザ付加情報ＵＡＩの適宜な領域に、情報検索部１２による検索に際してユーザ付加情報ＵＡＩを優先して検索することを指令するフラグが付される。こにれより、次回の検索に際して、番組の作成者の選曲キー情報ＩＧＦに的確に対応した楽曲の選曲が可能となり、番組の作成者のイメージに合わない不適切楽曲が選曲されて選曲端末装置５側に送出されることが防止される。なお、このフラグの格納場所は、楽曲情報メモリ９に限られず、情報検索部１２内の適宜なメモリ領域
に格納されていても良く、更に他の場所に格納されていてもよい。」
　
　これらの記載事項によると、引用例１には、
「楽曲にあったイメージを示すイメージ情報、楽曲にあった場所や状況がどの様なものか示すシチュエーション情報等からなる主観情報を格納した楽曲情報ＭＩＦを格納した楽曲情報メモリと、
　楽曲情報メモリを、選曲端末から選曲要求がなされた選曲キー情報ＩＧＦによって特殊情報ＤＩＦを検索し、選曲ＩＧＦに対応した楽曲を選択する情報検索部と、
選曲端末に選曲ＩＧＦに合致したと判断され送出された楽曲で、選曲キー情報に合致していないと判断した楽曲があった場合、選曲端末で特殊情報を修正して送出し、修正した特殊情報を格納するユーザ情報編集部と、
情報検索部は、選曲キー情報ＩＧＦに基づく検索に際して、特殊情報ＤＩＦのデフォルト値ではなく、自分が登録したユーザ付加情報ＵＡＩを優先的に検索し、選曲端末に送出される音楽情報供給装置。」の発明（以下、「引用例１記載の発明」という。）が記載されているものと認められる。
　
４．対比
　引用例１記載の発明の「楽曲情報ＭＩＦ」は、選択される楽曲そのものであるから、本願発明の「コンテンツデータ」に相当する。
　引用例１記載の発明の「楽曲にあったイメージを示すイメージ情報」は、楽曲から受けるイメージを表していることから、本願発明の「コンテンツデータを再生するときに受ける印象または受けたい印象を示す印象表現語」に相当する。
　引用例１記載の発明の「楽曲にあった場所や状況がどの様なものか示すシチュエーション情報」は、「コンテンツデータを再生するときの情景や状態を示す情景表現語」に相当する。
　引用例１記載の発明の「主観情報」は、本願発明の「主観的データ」に相当する。
　引用例１記載の発明の「楽曲情報メモリ」は、楽曲とそのイメージ情報、シチュエーション情報を格納していることから、本願発明の「印象表現語」「情景表現語」「と関連付けて格納されたデータベース」に相当する。
　引用例１記載の発明の「選曲端末」は、メロディ情報を再生できることから、本願発明の「外部の再生装置」に相当する。
　引用例１記載の発明の「楽曲情報メモリを、選曲要求がなされた選曲キー情報ＩＧＦによって特殊情報ＤＩＦを検索し、選曲ＩＧＦに対応した楽曲を選択する情報検索部」は、本願発明の「検索語として受け付けられた印象表現語および情景表現語からなる主観的データに基づいて上記データベースを検索し、対応するコンテンツデータを指定するデータを当該再生装置に送信する検索手段」に相当する。
　引用例１記載の発明の「選曲端末に選曲ＩＧＦに合致したと判断され送出された楽曲で、選曲キー情報に合致していないと判断した楽曲があった場合」は、本願発明の「上記検索手段により送信されたデータを外部の再生装置が受信した結果、上記コンテンツデータに対する主観的データを追加あるいは変更する必要がある場合」に相当する。
　引用例１記載の発明の「選曲端末で特殊情報を修正して送出し、修正した特殊情報を格納するユーザ情報編集部」は、本願発明の「コンテンツデータに対する主観的データを追加あるいは変更するために当該再生装置から送信され、受け付けた主観的データを入力するための入力手段」「主観的データにより上記データベースを更新する更新手段」に相当する。
　引用例１記載の発明の「情報検索部は、選曲キー情報ＩＧＦに基づく検索に際して、特殊情報ＤＩＦのデフォルト値ではなく、自分が登録したユーザ付加情報ＵＡＩを優先的に検索し、選曲端末に送出される」は、更新された情報を検索の対象としていることから、本願発明の「検索手段は、外部の再生装置から送信され、検索語として受け付けられた印象表現語および情景表現語からなる主観的データに基づいて上記更新手段によって更新されたデータベースを検索し、対応するコンテンツデータを指定するデータを当該再生装置に送信する」に相当する。
　引用例１記載の発明の「音楽情報供給装置」は、楽曲をデータとした検索を行っていることから、本願発明の「データ検索装置」に相当する。
　
　　してみると、両発明の一致点、相違点は以下のとおりである。
　
［一致点］
「コンテンツデータの内容を表現する主観的データとして当該コンテンツデータを再生するときに受ける印象または受けたい印象を示す印象表現語、および当該コンテンツデータを再生するときの情景や状態を示す情景表現語が当該コンテンツデータと関連付けて格納されたデータベースと、
　外部の再生装置から送信され、検索語として受け付けられた印象表現語および情景表現語からなる主観的データに基づいて上記データベースを検索し、対応するコンテンツデータを指定するデータを当該再生装置に送信する検索手段と、
　上記検索手段により送信されたデータを外部の再生装置が受信した結果、上記コンテンツデータに対する主観的データを追加あるいは変更する必要がある場合に、上記コンテンツデータに対する主観的データを追加あるいは変更するために当該再生装置から送信され、受け付けた主観的データを入力するための入力手段と、
　主観的データにより上記データベースを更新する更新手段とを有し、
　上記検索手段は、外部の再生装置から送信され、検索語として受け付けられた印象表現語および情景表現語からなる主観的データに基づいて上記更新手段によって更新されたデータベースを検索し、対応するコンテンツデータを指定するデータを当該再生装置に送信する、データ検索装置。」である点。
　
［相違点］
（ａ）本願発明では、「主観的データを統計処理する処理手段」を有していて、この統計処理したデータでデータベースを更新しているのに対して、引用例記載の発明には、このような統計処理をする手段を備えていない点。
　
５．当審の判断
　（相違点ａについて）
　このような主観データを用いて検索を行うシステムにおいて、統計処理をしてデータを更新することは、（Ａ）特許第２６２４９６９号公報（第３頁右欄第３行〜第５頁左欄第４行）（Ｂ）森沢 恵史、ファジィ理論を使った音楽データベース、情報処理学会全国大会講演論文集、日本、1989.03.15発行、Vol.38th、No.3、p.1862にみられるように周知事項であり、この周知事項を引用例１記載の発明に適用し、相違点ａの構成とすることは当業者が容易になしえたことである。
　
　そして、上記相違点についての判断を総合しても本願発明の奏する効果は、各刊行物から当業者が十分予測可能なもので格別のものではない。
　
６． むすび
　したがって、本願発明は周知技術を勘案し引用例１記載の発明及び周知事項に基づいて当業者が容易に発明をすることができたものであるから、特許法第２９条第２項の規定により特許を受けることができない。
　したがって、本願は、その他の請求項について論及するまでもなく、拒絶すべきものである。
　
　よって、結論のとおり審決する。